(57)【要約】【課題】信号を安定して伝送することができる同軸コネクタを提供する。【解決手段】互いに交差し且つ連結された２つの円筒形状部を有する管状通路ＴＰが内部に形成された金属シェル１２と、金属シェル１２の管状通路ＴＰに沿って管状通路ＴＰ内に配置され、２つの円筒形状部の２つの中心軸上にそれぞれ配置される２つの直線部ＬＰ１，ＬＰ２と、２つの直線部ＬＰ１，ＬＰ２を互いに交差するように連結するアングル部ＡＰとを有する中心導体１３と、金属シェル１２に取り付けられ且つ管状通路ＴＰ内に突出する突出部１６Ａを有するインピーダンス調整部材１６とを備え、インピーダンス調整部材１６の突出部１６Ａの先端は、管状通路ＴＰの内壁面よりも中心導体１３のアングル部ＡＰに近接している。【選択図】図４
2020057569.tif 000002
【特許請求の範囲】
【請求項１】
互いに交差し且つ連結された２つの円筒形状部を有する管状通路が内部に形成された金属シェルと、
前記金属シェルの前記管状通路に沿って前記管状通路内に配置され、前記２つの円筒形状部の２つの中心軸上にそれぞれ配置される２つの直線部と、前記２つの直線部を互いに交差するように連結するアングル部とを有する中心導体と、
前記金属シェルに取り付けられ且つ前記管状通路の内壁面から前記中心導体の前記アングル部に向かって前記管状通路内に突出する突出部を有する金属製のインピーダンス調整部材と
を備え、
前記インピーダンス調整部材の前記突出部の先端は、前記管状通路の前記内壁面よりも前記中心導体の前記アングル部に近接していることを特徴とするアングルタイプの同軸コネクタ。
【請求項２】
前記２つの円筒形状部は、互いに直交し、
前記中心導体の前記アングル部は、前記２つの直線部を互いに直交するように連結する請求項１に記載の同軸コネクタ。
【請求項３】
前記インピーダンス調整部材は、前記突出部の先端に、前記２つの円筒形状部の前記２つの中心軸の双方に交差する平坦な傾斜面を有する請求項１または２に記載の同軸コネクタ。
【請求項４】
前記インピーダンス調整部材の前記突出部は、円柱形状を有し、前記傾斜面は、前記円柱形状の中心軸に対して傾斜する請求項３に記載の同軸コネクタ。
【請求項５】
前記インピーダンス調整部材は、前記傾斜面の近傍に配置され且つ前記管状通路の前記内壁面に導通するためのバネ接点を有する請求項３または４に記載の同軸コネクタ。
【請求項６】
前記バネ接点は、前記突出部の先端から伝送信号の波長の２分の1未満の位置にある請求項５に記載の同軸コネクタ。
【請求項７】
前記２つの円筒形状部のうち１つの円筒形状部に配置され且つ前記金属シェルの外部と前記管状通路の内部とを連通する貫通孔を有し、
前記インピーダンス調整部材は、前記貫通孔内に嵌め込まれている請求項１〜６のいずれか一項に記載の同軸コネクタ。
【請求項８】
前記インピーダンス調整部材は、前記金属シェルの外面に開口する前記貫通孔の縁部に突き当たるフランジ部を有する請求項７に記載の同軸コネクタ。
【請求項９】
前記インピーダンス調整部材は、前記フランジ部に配置され且つ前記貫通孔に対する前記インピーダンス調整部材の回転位置を決めるための位置決め部を備える請求項８に記載の同軸コネクタ。
【請求項１０】
前記位置決め部は、前記フランジ部に形成された平面部からなる請求項９に記載の同軸コネクタ。
【請求項１１】
前記金属シェルは、前記２つの円筒形状部の一方が形成された第１のシェルと、前記第１のシェルに連結され且つ前記２つの円筒形状部の他方が形成された第２のシェルとを含む請求項１〜１０のいずれか一項に記載の同軸コネクタ。
【発明の詳細な説明】
【技術分野】
【０００１】
この発明は、同軸コネクタに係り、特に、同軸線路が屈曲したアングルタイプの同軸コネクタに関する。
【背景技術】
【０００２】
従来から、同軸ケーブルを直角等の所定の角度をなして接続するために、同軸線路が屈曲した、いわゆるアングルタイプの同軸コネクタが、通信機器等において広く使用されている。このようなアングルタイプの同軸コネクタとしては、例えば、特許文献１に、図１９に示すような同軸コネクタが開示されている。同軸コネクタは、２つの円筒形状部を有する管状通路Ｔが形成された金属シェル１と、金属シェル１の管状通路Ｔに沿って配置された中心導体２を有している。金属シェル１は、管状通路Ｔを構成する一方の円筒形状部を有する第１シェル１Ａと、他方の円筒形状部を有する第２シェル１Ｂとを有しており、第１シェル１Ａと第２シェル１Ｂは、互いの円筒形状部が直交するように連結されている。また、中心導体２は、第１シェル１Ａの円筒形状部の中心軸上に配置される直線部２Ａと、第２シェル１Ｂの円筒形状部の中心軸上に配置される直線部２Ｂと、２つの直線部２Ａ、２Ｂを互いに連結するアングル部２Ｃにより構成されている。
【先行技術文献】
【特許文献】
【０００３】
【特許文献１】特開２０１１−２０４４２３号公報
【発明の概要】
【発明が解決しようとする課題】
【０００４】
一般的に、同軸コネクタにおける同軸線路の特性インピーダンスは、中心導体の外径と、中心導体を囲む外側の導体の内径との比で決定される。安定した信号伝送を行うためには、同軸コネクタの全長にわたって均一な特性インピーダンスを維持するのが望ましいが、中心導体２のアングル部２Ｃと金属シェル１の管状通路Ｔとは形状が大きく異なり、同心円状の同軸構造を維持できていないので、この部分において特性インピーダンスも大きく変動してしまい、安定した信号伝送を行うことが困難になるおそれがあった。
【０００５】
この発明は、このような従来の問題点を解消するためになされたもので、アングルタイプであっても安定した信号伝送を行うことができる同軸コネクタを提供することを目的とする。
【課題を解決するための手段】
【０００６】
この発明に係る同軸コネクタは、互いに交差し且つ連結された２つの円筒形状部を有する管状通路が内部に形成された金属シェルと、金属シェルの管状通路に沿って管状通路内に配置され、２つの円筒形状部の２つの中心軸上にそれぞれ配置される２つの直線部と、２つの直線部を互いに交差するように連結するアングル部とを有する中心導体と、金属シェルに取り付けられ且つ管状通路の内壁面から中心導体のアングル部に向かって管状通路内に突出する突出部を有するインピーダンス調整部材とを備え、インピーダンス調整部材の突出部の先端は、管状通路の内壁面よりも中心導体のアングル部に近接していることを特徴とするアングルタイプの同軸コネクタである。
【０００７】
２つの円筒形状部は、互いに直交し、中心導体のアングル部は、２つの直線部を互いに直交するように連結することができる。
インピーダンス調整部材は、突出部の先端に、２つの円筒形状部の２つの中心軸の双方に交差する平坦な傾斜面を有することができる。
この際に、インピーダンス調整部材の突出部は、円柱形状を有し、傾斜面は、円柱形状の中心軸に対して傾斜することが好ましい。
また、インピーダンス調整部材は、傾斜面の近傍に配置され且つ管状通路の内壁面に導通するためのバネ接点を有することができる。
この際に、バネ接点は、突出部の先端から伝送信号の波長の２分の1未満の位置にあることが好ましい。
【０００８】
また、２つの円筒形状部のうち１つの円筒形状部に配置され且つ金属シェルの外部と管状通路の内部とを連通する貫通孔を有し、インピーダンス調整部材は、貫通孔内に嵌め込まれることができる。
この際に、インピーダンス調整部材は、金属シェルの外面に開口する貫通孔の縁部に突き当たるフランジ部を有することが好ましい。
さらに、インピーダンス調整部材は、フランジ部に配置され且つ貫通孔に対するインピーダンス調整部材の回転位置を決めるための位置決め部を備えることが好ましい。
この際に、位置決め部は、フランジ部に形成された平面部からなることができる。
【０００９】
また、金属シェルは、２つの円筒形状部の一方が形成された第１のシェルと、第１のシェルに連結され且つ２つの円筒形状部の他方が形成された第２のシェルとを含むことができる。
【発明の効果】
【００１０】
この発明によれば、互いに交差し且つ連結された２つの円筒形状部を有する管状通路が内部に形成された金属シェルと、金属シェルの管状通路に沿って管状通路内に配置され、２つの円筒形状部の２つの中心軸上にそれぞれ配置される２つの直線部と、２つの直線部を互いに交差するように連結するアングル部とを有する中心導体と、金属シェルに取り付けられ且つ管状通路の内壁面から中心導体のアングル部に向かって管状通路内に突出する突出部を有するインピーダンス調整部材とを備え、インピーダンス調整部材の突出部の先端は、管状通路の内壁面よりも中心導体のアングル部に近接しているので、アングルタイプであっても安定した信号伝送を行うことができる。
【図面の簡単な説明】
【００１１】
【図１】この発明の実施の形態１に係る同軸コネクタを斜め上方から見た斜視図である。
【図２】実施の形態１に係る同軸コネクタの正面図である。
【図３】実施の形態１に係る同軸コネクタの分解斜視図である。
【図４】図２のＡ−Ａ線断面図である。
【図５】実施の形態１における第２シェルを斜め下方から見た斜視図である。
【図６】実施の形態１における第２シェルの平面図である。
【図７】実施の形態１における第２シェルの側面図である。
【図８】図７のＢ−Ｂ線断面図である。
【図９】実施の形態１におけるインピーダンス調整部材の斜視図である。
【図１０】実施の形態１におけるインピーダンス調整部材の側面図である。
【図１１】実施の形態１におけるインピーダンス調整部材の平面図である。
【図１２】同軸線路を模式的に示す断面図である。
【図１３】実施の形態２におけるインピーダンス調整部材の斜視図である。
【図１４】実施の形態２におけるインピーダンス調整部材の側面図である。
【図１５】実施の形態２に係る同軸コネクタの縦断面図である。
【図１６】実施の形態２の変形例におけるインピーダンス調整部材の側面図である。
【図１７】実施の形態２の他の変形例におけるインピーダンス調整部材の側面図である。
【図１８】実施の形態２のさらに他の変形例におけるインピーダンス調整部材の側面図である。
【図１９】従来の同軸コネクタを示す縦断面図である。
【発明を実施するための形態】
【００１２】
以下、この発明の実施の形態を添付図面に基づいて説明する。
実施の形態１
図１および図２に、実施の形態１に係る同軸コネクタ１１を示す。図１および図２に示すように、同軸コネクタ１１は、金属シェル１２と、金属シェル１２の内部に配置された中心導体１３を有している。また、金属シェル１２は、所定の方向に延びる筒状の金属製の第１シェル１４と、第１シェル１４の端部に連結され且つ概ね直方体形状を有する金属製の第２シェル１５から構成されている。第２シェル１５には、直方体形状の頂部１５Ａに金属製のインピーダンス調整部材１６が取り付けられ、直方体形状の底部から４つの脚部１５Ｂが突出形成されている。これらの脚部１５Ｂは、同軸コネクタ１１を図示しない回路基板に搭載する際に、回路基板のスルーホールに半田付け等により接続されるものである。４つの脚部１５Ｂが回路基板のスルーホールに接続されることにより、同軸コネクタ１１は回路基板に固定され、金属シェル１２は、４つの脚部１５Ｂおよびスルーホールを介して回路基板のグランドパターンに電気的に接続される。
【００１３】
以下では、説明のために、第１シェル１４が延びる方向をＹ方向として、第１シェル１４から第２シェル１５に向かう方向を＋Ｙ方向、Ｙ方向に直交し且つ第２シェル１５の脚部１５Ｂから頂部１５Ａに向かう方向を＋Ｚ方向、Ｙ方向およびＺ方向に直交する方向をＸ方向とする。
【００１４】
図３に示されるように、同軸コネクタ１１は、さらに、中心導体１３の一端部を第１シェル１４の内部に保持するための第１インシュレータ１７と、中心導体１３の他端部を第２シェル１５の内部に保持するための第２インシュレータ１８を有している。第１インシュレータ１７は、中心導体１３の一端部が挿入される筒状部１７Ａと、筒状部１７Ａの＋Ｙ方向端部に形成されたフランジ部１７Ｂを有している。第２インシュレータ１８は、中心導体１３の他端部を挿入するための貫通孔が中心に形成された円板形状を有している。
【００１５】
図４に示されるように、第１シェル１４の内部には、Ｙ方向に沿った中心軸を有する円筒状の第１の孔部Ｈ１が形成されており、第１シェル１４の−Ｙ方向端部および＋Ｙ方向端部には、それぞれ、第１の孔部Ｈ１に連通する円形の開口部ＦＡ１、ＦＡ２が形成されている。また、第１の孔部Ｈ１の内部には、第１シェル１４の−Ｙ方向端部の近傍に、ＸＺ面に沿って環状に延びる突出部１４Ａが形成され、第１シェル１４の外周部には、第１シェル１４の＋Ｙ方向端部の近傍に、ＸＺ面に沿って環状に延びる突出部１４Ｂが形成されている。
【００１６】
第２シェル１５の内部には、Ｚ方向に沿った中心軸を有する円筒状の第２の孔部Ｈ２が形成されている。第２シェル１５の頂部１５Ａに円形の貫通孔ＴＨが形成されており、インピーダンス調整部材１６は、貫通孔ＴＨに嵌め込まれている。
また、第２シェル１５の−Ｙ方向端部には、第１シェル１４の突出部１４Ｂに突き当たる平面状の突き当たり面１５Ｃが形成されている。
また、第２シェル１５の−Ｚ方向端部に第２インシュレータ１８が配置され、−Ｚ方向に向かって突出する中心導体１３の他端部が、第２インシュレータ１８の中心に形成されている貫通孔に挿入されている。
【００１７】
中心導体１３は、第１の孔部Ｈ１の中心軸に沿って延び且つ−Ｙ方向端部が第１インシュレータ１７の筒状部１７Ａに挿入された第１の直線部ＬＰ１と、第２の孔部Ｈ２の中心軸に沿って延び且つ第２インシュレータ１８に挿通した第２の直線部ＬＰ２と、第１の直線部ＬＰ１および第２の直線部ＬＰ２を互いに直交するように連結するアングル部ＡＰとを有している。ここで、中心導体１３は、棒状の金属材料をアングル部ＡＰで屈曲することにより、いわゆるＬ字形に加工されるが、このような加工がなされる際にアングル部ＡＰを屈曲しやすくするために、アングル部ＡＰの直径は、第１の直線部ＬＰ１の直径および第２の直線部ＬＰ２の直径よりも細く設計されている。
【００１８】
また、第１シェル１４の第１の孔部Ｈ１および第２シェル１５の第２の孔部Ｈ２により、金属シェル１２の内部に、２つの円筒形状部が互いに直交する管状通路ＴＰが形成され、第１インシュレータ１７および第２インシュレータ１８により、中心導体１３が、金属シェル１２から電気的に絶縁された状態で管状通路ＴＰ内に配置されている。
【００１９】
ここで、図５に示すように、第２シェル１５には、第２シェル１５の−Ｙ方向端部から第２の孔部Ｈ２まで貫通し且つ第１シェル１４の＋Ｙ方向端部が嵌合される嵌合孔ＭＨが形成されている。嵌合孔ＭＨは、Ｙ方向に延びる中心軸を有する円筒形状を有しており、第２シェル１５の−Ｙ方向端部に、突き当たり面１５Ｃに囲まれる円形の開口端ＥＭを有している。また、第２シェル１５の底部１５Ｄには、第２の孔部Ｈ２に連通する開口部ＳＡが形成されており、開口部ＳＡの周に沿って、第２インシュレータ１８の位置決めをするための環状の段部Ｓが形成されている。第２インシュレータ１８は、段部Ｓに接触するように配置される。
【００２０】
図６に示すように、第２シェル１５の頂部１５Ａに形成された貫通孔ＴＨは、円形状を有している。
また、図５〜図７に示すように、第２シェル１５は、概ね直方体形状を有している。
図８は、第２シェル１５に形成された嵌合孔ＭＨを通るＸＹ面で第２シェル１５を切断した断面図である。図８に示すように、嵌合孔ＭＨの円筒形状と第２の孔部Ｈ２の円筒形状は、互いに直交している。
【００２１】
図９および図１０に示すように、インピーダンス調整部材１６は、Ｚ方向に延びる中心軸を有する円柱状の突出部１６Ａを有し、突出部１６Ａの＋Ｚ方向端部に、ＸＹ面に沿って張り出すフランジ部１６Ｂが形成されている。突出部１６Ａの−Ｚ方向端部には、＋Ｙ方向に向かって順次連結された第１の垂直面Ｐ１、傾斜面Ｐ２および第２の垂直面Ｐ３が形成されている。第１の垂直面Ｐ１および第２の垂直面Ｐ３は、それぞれ、円柱状の突出部１６ＡのＺ方向に延びる中心軸に対して垂直で且つ−Ｚ方向を向いた面であり、傾斜面Ｐ２は、−Ｙ方向および−Ｚ方向を向くように円柱状の突出部１６ＡのＺ方向に延びる中心軸に対して傾斜する平坦な面である。
【００２２】
また、図１１に示すように、フランジ部１６Ｂの−Ｙ方向端部には、ＸＺ面に沿った平面からなる切り欠き状の位置決め部１６Ｃが形成されている。この位置決め部１６Ｃは、傾斜面Ｐ２が向く方向を示すもので、インピーダンス調整部材１６が第２シェル１５の頂部１５Ａに形成された貫通孔ＴＨに嵌め込まれる際に、インピーダンス調整部材１６の回転位置を決めるための目印として用いられる。
【００２３】
ここで、同軸コネクタ１１は、第１シェル１４の内部に第１インシュレータ１７と中心導体１３の第１の直線部ＬＰ１を収容すると共に、第２シェル１５の内部に中心導体１３の第２の直線部ＬＰ２を収容した状態で、第２シェル１５の円形の開口端ＥＭから嵌合孔ＭＨ内に第１シェル１４の＋Ｙ方向端部が圧入され、第２シェル１５の開口部ＳＡの段部Ｓに第２インシュレータ１８が配置され、さらに、第２シェル１５の頂部１５Ａの貫通孔ＴＨにインピーダンス調整部材１６が嵌め込まれることで作製される。
【００２４】
このとき、インピーダンス調整部材１６のフランジ部１６Ｂが第２シェル１５の頂部１５Ａに接触するまでインピーダンス調整部材１６が貫通孔ＴＨに嵌め込まれることにより、インピーダンス調整部材１６のＺ方向における位置が決定される。さらに、図１に示すように、インピーダンス調整部材１６の位置決め部１６Ｃが、同軸コネクタ１１の図示しない相手側コネクタとの接続方向である−Ｙ方向を向くように、インピーダンス調整部材１６のＸＹ面内における回転位置が設定される。これにより、図４に示されるように、インピーダンス調整部材１６の傾斜面Ｐ２が、中心導体１３のアングル部ＡＰに対向し且つ管状通路ＴＰのいずれの箇所の内壁面よりも中心導体１３のアングル部ＡＰに近接することとなる。
【００２５】
ここで、同軸線路の断面を模式的に図１２に示す。同軸線路は、外径Ｄ１の内部導体Ｃ１の外周面と、内部導体Ｃ１を囲むように内部導体Ｃ１と同軸に配置された内径Ｄ２の外部導体Ｃ２の内周面とにより構成されているものとする。内部導体Ｃ１と外部導体Ｃ２の間の空間の比誘電率をＥとすると、同軸線路の特性インピーダンスＺ０は、下記式（１）のように表されることが知られている。
Ｚ０＝（１３８／Ｅ１／２）・ｌｏｇ１０（Ｄ２／Ｄ１）  ・・・（１）
すなわち、同軸線路の特性インピーダンスＺ０は、一般的に、内部導体Ｃ１の外径Ｄ１に対する外部導体Ｃ２の内径Ｄ２の比（Ｄ２／Ｄ１）により決定される。
【００２６】
図４に示される同軸コネクタ１１において、インピーダンス調整部材１６を有しない場合を想定すると、アングル部ＡＰの周辺は図１２のような同心円状の同軸線路とは大きく異なり、中心導体１３のアングル部ＡＰと第２シェル１５の内壁面との距離が、中心導体１３の第１の直線部ＬＰ１と第１の孔部Ｈ１の内壁面との距離および中心導体１３の第２の直線部ＬＰ２と第２の孔部Ｈ２の内壁面との距離よりも長くなる箇所が存在する。これにより、同軸線路の特性インピーダンスＺ０が変動して、安定した信号伝送を行うことが困難になるおそれがある。
【００２７】
本発明の同軸コネクタ１１によれば、中心導体１３のアングル部ＡＰに近接する金属製のインピーダンス調整部材１６が備えられているため、同軸線路の特性インピーダンスＺ０の変動を低減し、安定した信号伝送を行うことができる。また、インピーダンス調整部材１６は、第２シェル１５の頂部１５Ａに形成された貫通孔ＴＨに嵌め込むだけで容易に取り付けることが可能であり、インピーダンス調整部材１６の突出部１６Ａのサイズ、突出部１６Ａの先端部に形成された傾斜面Ｐ２の傾き等を選択することにより、アングル部ＡＰの周辺における特性インピーダンスＺ０を調整することができる。
【００２８】
なお、実施の形態１では、第１シェル１４の第１の孔部Ｈ１の中心軸と、第２シェル１５の第２の孔部Ｈ２の中心軸とが互いに直交しているが、互いに交差していれば、直交していなくてもよい。この場合には、中心導体１３の第１の直線部ＬＰ１と第２の直線部ＬＰ２も、同様に、互いに直交せずに、第１シェル１４の第１の孔部Ｈ１の中心軸と第２シェル１５の中心軸との交差角度に等しい角度で交差する必要がある。
【００２９】
また、第１シェル１４の第１の孔部Ｈ１、第２シェル１５の第２の孔部Ｈ２は、それぞれ、円筒形状を有しているが、その形状は特に限定されない。しかしながら、円筒形状の第１の孔部Ｈ１および第２の孔部Ｈ２は、例えばドリルを用いて第１シェル１４および第２シェル１５孔あけ加工を施すことにより容易に形成することができるため、第１の孔部Ｈ１の形状および第２の孔部Ｈ２の形状は、円筒形状であることが好ましい。
【００３０】
また、実施の形態１では、第２シェル１５の頂部１５Ａから第２の孔部Ｈ２まで貫通するように貫通孔ＴＨが形成されているが、貫通孔ＴＨに取り付けられるインピーダンス調整部材１６が中心導体１３のアングル部ＡＰに近接するのであれば、貫通孔ＴＨが形成される場所は、特に限定されない。例えば、貫通孔ＴＨは、＋Ｙ方向を向いた第２シェル１５の面から第２の孔部Ｈ２をＹ方向に貫通するように形成することもできる。
【００３１】
また、実施の形態１では、インピーダンス調整部材１６は、貫通孔ＴＨを通して金属シェル１２の内部に形成された管状通路ＴＰに突出するように配置されているが、インピーダンス調整部材１６の配置方法は、これに限定されない。例えば、図示しないが、インピーダンス調整部材１６は、管状通路ＴＰの内壁に取り付けられることもできる。
【００３２】
実施の形態２
図１３および図１４に、実施の形態２に係る同軸コネクタにおいて用いられるインピーダンス調整部材２６を示す。実施の形態２に係る同軸コネクタは、実施の形態１の同軸コネクタ１１において、インピーダンス調整部材１６の代わりにインピーダンス調整部材２６を用いたもので、その他の構成部材は、実施の形態１の同軸コネクタ１１と同様である。
【００３３】
インピーダンス調整部材２６は、実施の形態１におけるインピーダンス調整部材１６と同様に、金属からなり、Ｚ方向に延びる中心軸を有する円柱状の突出部２６Ａを有し、突出部２６Ａの＋Ｚ方向端部に、ＸＹ面に沿って張り出すフランジ部２６Ｂが形成されている。突出部２６Ａの−Ｚ方向端部には、＋Ｙ方向に向かって順次連結された第１の垂直面Ｐ１、傾斜面Ｐ２および第２の垂直面Ｐ３が形成されている。第１の垂直面Ｐ１は、−Ｙ方向側に円弧状の縁を有しており、第２の垂直面Ｐ３は、＋Ｙ方向側に円弧状の縁を有している。また、図１３に示すように、突出部２６Ａの−Ｚ方向端部には、突出部２６Ａの中心軸を通り且つＹＺ面に沿ったスリットＳＬが、第２の垂直面Ｐ３から傾斜面Ｐ２にかけて形成されている。さらに、図１４に示すように、突出部２６Ａの−Ｚ方向端部には、第２の垂直面Ｐ３の円弧状の縁からＸＹ面に沿って突出するバネ接点２６Ｃが形成されている。バネ接点２６Ｃは、ＹＺ面に沿ったスリットＳＬを有し且つＺ方向に延びる突出部２６Ａが弾性変形することにより、Ｙ方向に弾性変位することができる。
【００３４】
インピーダンス調整部材２６は、実施の形態１におけるインピーダンス調整部材１６と同様にして、図１５に示すように第２シェル１５の貫通孔ＴＨに嵌め込まれ、インピーダンス調整部材２６のバネ接点２６Ｃが、−Ｙ方向を向いた金属シェル１２の内壁面に接触する。なお、突出部２６ＡからＸＹ面に沿って突出するバネ接点２６Ｃが存在していても、インピーダンス調整部材２６をＹＺ面内で傾けた状態で、バネ接点２６Ｃが形成されている第２の垂直面Ｐ３から貫通孔ＴＨに挿入することで、インピーダンス調整部材２６を第２シェル１５の貫通孔ＴＨに容易に嵌め込むことができる。また、インピーダンス調整部材２６のバネ接点２６Ｃは、突出部２６Ａの弾性力により第２シェル１５の内壁面に押し付けられるため、第２シェル１５の内壁面に確実に接触する。
【００３５】
実施の形態1の同軸コネクタが図示しない回路基板に搭載されると、第２シェル１５の脚部１５Ｂが回路基板のグランドパターンに接続されるため、中心導体１３の表面を流れる信号電流に対し、金属シェル１２の内壁面には帰還電流が流れることになるが、帰還電流は第２シェル１５の内部に突出するインピーダンス調整部材１６の表面を回り込んで流れなくてはならないので、信号電流との伝送距離の差が大きい、いわゆるスタブが発生する。それに対し、実施の形態２の同軸コネクタでは、バネ接点２６Ｃによってインピーダンス調整部材２６を回り込まずに第２シェル１５の内壁面へと帰還電流が流れるので、中心導体１３の表面を流れる信号電流との伝送距離の差が小さくなる。そのため、例えば、中心導体１３を介して非常に高い周波数を有する信号が伝送される場合であっても、第２シェル１５の内部に突出するインピーダンス調整部材２６により、いわゆるスタブが発生することを防止して、安定した信号伝送を行うことができる。
さらに、帰還電流の共振現象を防止するためには、このバネ接点２６Ｃは、インピーダンス調整部材２６の先端から伝送信号の波長の２分の1未満の位置に設けるのが望ましい。
【００３６】
また、実施の形態２では、図１３および図１４に示すように、インピーダンス調整部材２６の突出部２６Ａの−Ｚ方向端部に、第１の垂直面Ｐ１、傾斜面Ｐ２、第２の垂直面Ｐ３が形成されているが、インピーダンス調整部材２６が第２シェル１５の貫通孔ＴＨに嵌め込まれた際に、突出部２６Ａの−Ｚ方向端部と中心導体１３のアングル部ＡＰとが互いに近接すれば、突出部２６Ａの−Ｚ方向端部の形状は、図１３および図１４に示す形状に限定されない。
【００３７】
例えば、図１６に示すように、インピーダンス調整部材２７の突出部２７Ａの−Ｚ方向端部に、１つの傾斜面Ｐ４と１つの垂直面Ｐ５のみが＋Ｙ方向に向かって連結され、垂直面Ｐ５の円弧状の縁からＸＹ面に沿って突出するバネ接点２７Ｃが形成されていてもよい。傾斜面Ｐ４は、実施の形態１におけるインピーダンス調整部材１６の傾斜面Ｐ２および実施の形態２におけるインピーダンス調整部材２６の傾斜面Ｐ２と同様に、−Ｙ方向および−Ｚ方向に向くように傾いた平坦な面である。また、垂直面Ｐ５は、Ｚ方向に沿って延びる突出部２７Ａの中心軸に垂直な平坦な面である。
【００３８】
また、例えば、図１７に示すように、インピーダンス調整部材２８の突出部２８Ａの−Ｚ方向端部に、＋Ｙ方向に向かって、第１の垂直面Ｐ６、第２の垂直面Ｐ７、第３の垂直面Ｐ８が順次階段状に形成され、第３の垂直面Ｐ８の円弧状の縁からＸＹ面に沿って突出するバネ接点２８Ｃが形成されていてもよい。第１の垂直面Ｐ６、第２の垂直面Ｐ７、第３の垂直面Ｐ８は、いずれも突出部２８Ａの中心軸に垂直な平坦な面である。
【００３９】
また、例えば、図１８に示すように、インピーダンス調整部材２９の突出部２９Ａの−Ｚ方向端部に、１つの湾曲面Ｐ９と１つの垂直面Ｐ１０が＋Ｙ方向に向かって連結され、垂直面Ｐ１０の円弧状の縁からＸＹ面に沿って突出するバネ接点２９Ｃが形成されていてもよい。湾曲面Ｐ９は、−Ｙ方向および−Ｚ方向に向かって凹形状となる湾曲形状を有している。また、垂直面Ｐ１０は、突出部２９Ａの中心軸に垂直な平坦な面である。
【００４０】
なお、図１６〜図１８に示すインピーダンス調整部材２７〜２９から、それぞれバネ接点２７Ｃ〜２９Ｃを省略したインピーダンス調整部材を、実施の形態１に係る同軸コネクタ１１のインピーダンス調整部材１６の代わりに使用することもできる。
【符号の説明】
【００４１】
１  金属シェル、１Ａ  第１シェル、１Ｂ  第２シェル、２  中心導体、２Ａ，２Ｂ  直線部、２Ｃ  アングル部、Ｔ  管状通路、
１１  同軸コネクタ、１２  金属シェル、１３  中心導体、１４  第１シェル、１４Ａ  内側環状突出部、１４Ｂ  外側環状突出部、１５  第２シェル、１５Ａ  頂部、１５Ｂ  脚部、１５Ｃ  対向面、１５Ｄ  底部、１６，２６，２７，２８，２９  インピーダンス調整部材、１６Ｂ，１７Ｂ  フランジ部、１６Ａ，２６Ａ，２７Ａ，２８Ａ，２９Ａ  突出部、１６Ｃ  位置決め部、１７  第１インシュレータ、１７Ａ  突出部、１８  第２インシュレータ、ＡＰ  アングル部、Ｃ１  内部導体、Ｃ２  外部導体、Ｄ１  外径、Ｄ２  内径、ＥＭ  開口端、ＦＡ１，ＦＡ２，ＳＡ  開口部、Ｈ１  第１の孔部、Ｈ２  第２の孔部、ＬＰ１  第１の直線部、ＬＰ２  第２の直線部、ＭＨ  嵌合孔、Ｐ１，Ｐ６  第１の垂直面、Ｐ２，Ｐ４  傾斜面、Ｐ３，Ｐ７  第２の垂直面、Ｐ５，Ｐ１０  垂直面、Ｐ８  第３の垂直面、Ｐ９  湾曲面、Ｓ  段部、ＳＬ  スリット、ＴＨ  貫通孔、ＴＰ  管状通路。
【図１】
2020057569.tif 000003
【図２】
2020057569.tif 000004
【図３】
2020057569.tif 000005
【図４】
2020057569.tif 000006
【図５】
2020057569.tif 000007
【図６】
2020057569.tif 000008
【図７】
2020057569.tif 000009
【図８】
2020057569.tif 000010
【図９】
2020057569.tif 000011
【図１０】
2020057569.tif 000012
【図１１】
2020057569.tif 000013
【図１２】
2020057569.tif 000014
【図１３】
2020057569.tif 000015
【図１４】
2020057569.tif 000016
【図１５】
2020057569.tif 000017
【図１６】
2020057569.tif 000018
【図１７】
2020057569.tif 000019
【図１８】
2020057569.tif 000020
【図１９】
2020057569.tif 000021